(57)【要約】【課題】揺り動かす方向や負荷を変えて腹筋運動の効果を高めることができる腹部トレーニング器を提供する。【解決手段】上半身を後方に傾斜させると共に、両脚を前方へ延出させて大腿部を前方斜め上方に上げた状態での着座時に臀部全体を包み込むように形成された凹面状で四方に羽根部２を有する座板部３と、該座板部３の底面に設けられ、一定方向の揺動運動を可能とする平行な弧状部材８，８と、座板部３の底面に弧状部材８，８よりも下方に突出した状態で着脱可能に設けられ、全方向への揺動運動を可能とする凸面状部材１２とを備えている。【選択図】図７
0003177291.tif 000002
【実用新案登録請求の範囲】
【請求項１】
上半身を後方に傾斜させると共に、両脚を前方に延出させて大腿部を前方斜め上方に上げた状態での着座時に臀部全体を包み込むように形成された凹面状で、四方に延出した羽根部を有する座板部と、該座板部の底面に設けられ、一定方向の揺動運動を可能とする平行な弧状部材と、前記座板部の底面に弧状部材よりも下方に突出した状態で着脱可能に設けられ、全方向への揺動運動を可能とする凸面状部材とを備えたことを特徴とする腹部トレーニング器。
【請求項２】
前記座板部の上面には、着座時の臀部を支持する敷物が敷かれている請求項１記載の腹部トレーニング器。
【請求項３】
前記羽根部を含む座板部が平面十字形状に形成され、前記羽根部の先端が円弧状に形成され、隣り合う前記羽根部間が凹部で結ばれていると共に、その凹部の上面に凹面状の窪み部が形成されている請求項１に記載の腹部トレーニング器。
【請求項４】
前記座板部の底面には前記弧状部材を取り付けるための取付溝が形成されている請求項１に記載の腹部トレーニング器。
【請求項５】
前記弧状部材は、前記取付溝に対して、下方に突出するよう形成され、その長手方向両端部が固着具で座板部の底面に固定されている請求項４に記載の腹部トレーニング器。
【請求項６】
前記座板部の底面中央部には円柱状の凸部が形成され、前記凸面状部材の内部中央には前記凸部が緩く嵌まる嵌合穴が形成され、前記凸部の周囲には嵌合穴の内周面に嵌まって凸面状部材の脱落を防止する脱落防止リングが装着されている請求項１に記載の腹部トレーニング器。
【請求項７】
前記凸面状部材の嵌合穴の下方に緩衝材の収容部が形成され、該収容部に収容された緩衝材の上面に前記凸部の下面が当接している請求項５に記載の腹部トレーニング器。
【請求項８】
前記座板部は、前記弧状部材により、鉛直方向に対して前後に２０〜２６度傾斜できる請求項１〜３何れかに記載の腹部トレーニング器。
【請求項９】
前記凸面状部材は、座板部に取り付けたとき、前記座板部が鉛直方向に対して前後に２７〜３５度傾斜できるように形成されている請求項１，５，６何れかに記載の腹部トレーニング器。
【考案の詳細な説明】
【技術分野】
【０００１】
本考案は、腹部の筋力を強化するための腹部トレーニング器に係り、特に揺り動かす方向や負荷を変えて腹筋運動の効果を高める腹部トレーニング器に関するものである。
【背景技術】
【０００２】
腹筋運動の効果を高めるための腹部トレーニング器としては、例えば特許文献１や特許文献２に開示されるものが提案されている。特許文献１には、トレーニングをする者の臀部が載る座板の部分の両側に手で握る握り部分があって、その座板の部分の前後両側には、重力方向下方に向かって徐々に狭くなった逆三角形の揺り動かす部分が連結されていて、この揺り動かす部分の底部が偏った重心の支点になるよう揺り動かす部分前後の辺の距離が異なっている腹部トレーニング器が開示されている。
【０００３】
特許文献２には、トレーニングをする者の臀部が載る座部の後端に所要角度の腰当部を設け、座部の両横端に前方が所要長さの直線状に且つ後方が上方へ弧状に形成された脚部を設け、座部に座り、体を後方に反らせ、ゆっくり体を前後に揺らすことにより、腹筋や背筋の運動に役立つ座椅子が記載されている。
【先行技術文献】
【特許文献】
【０００４】
【特許文献１】実用新案登録第３０８６９１９号公報
【特許文献２】特開２００８−２０６９５０号公報
【考案の概要】
【考案が解決しようとする課題】
【０００５】
しかしながら、従来の腹部トレーニング器は、何れも前後方向の揺動運動のみを行うものであり、揺り動かす方向や負荷を変えて腹筋運動の効果を高めることができなかった。
【０００６】
本考案は、このような事情を考慮して成されたもので、揺り動かす方向や負荷を変えて腹筋運動の効果を高めることができる腹部トレーニング器を提供することである。
【課題を解決するための手段】
【０００７】
本考案は、上半身を後方に傾斜させると共に、両脚を前方に延出させて大腿部を前方斜め上方に上げた状態での着座時に臀部全体を包み込むように形成された凹面状で、四方に延出した羽根部を有する座板部と、該座板部の底面に設けられ、一定方向の揺動運動を可能とする平行な弧状部材と、前記座板部の底面に弧状部材よりも下方に突出した状態で着脱可能に設けられ、全方向への揺動運動を可能とする凸面状部材とを備えたことを特徴とする腹部トレーニング器である。
【０００８】
前記座板部の上面には、着座時の臀部を支持する敷物が敷かれていることが好ましい。
【０００９】
羽根部を含む座板部が平面十字形状に形成され、羽根部の先端が円弧状に形成され、隣り合う前記羽根部間が凹部で結ばれていると共に、その凹部の上面に凹面状の窪み部が形成されていることが好ましい。
【００１０】
座板部の底面には前記弧状部材を取り付けるための取付溝が形成されていることが好ましい。
【００１１】
弧状部材は、取付溝に対して、下方に突出するよう形成され、その長手方向両端部が固着具で座板部の底面に固定されていることが好ましい。
【００１２】
座板部の底面中央部には円柱状の凸部が形成され、凸面状部材の内部中央には凸部が緩く嵌まる嵌合穴が形成され、凸部の周囲には嵌合穴の内周面に嵌まって凸面状部材の脱落を防止する脱落防止リングが装着されていることが好ましい。
【００１３】
凸面状部材の嵌合穴の下方に緩衝材の収容部が形成され、該収容部に収容された緩衝材の上面に前記凸部の下面が当接していることが好ましい。
【００１４】
座板部は、弧状部材により、鉛直方向に対して前後に２０〜２６度傾斜できることが好ましい。
【００１５】
凸面状部材は、座板部に取り付けたとき、座板部が鉛直方向に対して前後に２７〜３５度傾斜できるように形成されていることが好ましい。
【考案の効果】
【００１６】
本考案によれば、揺り動かす方向や負荷を変えて腹筋運動の効果を高めることができる。
【図面の簡単な説明】
【００１７】
【図１】本考案の一実施形態に係る腹部トレーニング器を示す平面図である。
【図２】本考案の一実施形態に係る腹部トレーニング器を示す正面図である。
【図３】図２の底面図である。
【図４】図２の側面図である。
【図５】座板部の底面に凸面状部材を取り付けた状態を示す正面図である。
【図６】図５の腹部トレーニング器の底面図である。
【図７】本考案の一実施形態に係る腹部トレーニング器の分解斜視図である。
【図８】腹部トレーニング器の使用方法の一例を示す説明図である。
【図９】腹部トレーニング器の使用方法の他の例を示す説明図である。
【考案を実施するための形態】
【００１８】
以下に、本考案を実施するための形態を添付図面に基づいて詳述する。
【００１９】
図１〜図９に示すように、本実施形態の腹部トレーニング器１は、平坦な床面上に合成樹脂製のマットを敷き、その上で使用されるものである。この腹部トレーニング器１は、図１に示すように腹部トレーニングする者がその臀部を着座させたときにその臀部を包み込むよう支持する凹面状の座板部３と、その座板部３上に設けられ、座板部３より小さく形成された敷物（クッション）７と、図２〜図４に示すように座板部３の底部に設けられ、座板部３を前後に揺動運動を可能とする平行な一対の弧状部材８，８と、図５、図７に示すように座板部３の底部に着脱可能に設けられ、一対の弧状部材８，８を覆うカバーからなると共に座板部３を３６０度方向に揺動運動を可能とする凸面状部材１２と、座板部３の底部と凸面状部材１２間に設けられ、凸面状部材１２を支持する緩衝材１６とから構成される。
【００２０】
座板部３は、トレーニングする者の体重を支えるメインフレームであり、硬質樹脂材、例えばＡＢＳ樹脂により形成され、トレーニングをする者が着座したときに臀部全体を包み込むように半径約３００ｍｍの球面状で形成された凹面部６で形成される。この座板部３は、平面視で凹面部６の基部から前後左右に延びて十字形状を形成する羽根部２を有し、その隣り合う羽根部２，２間を結ぶと共に大腿部が位置する凹部４を有し、その凹部４に大腿部を逃がすための窪み部５が形成されて構成される。羽根部２は、凹面部６の曲率で上方に延び、トレーニングをする者が着座したときに臀部の前後と左右を包み込むように形成される。凹面部６は、トレーニングする者が着座したときの大腿部が位置すると共に大腿部間で羽根部２を挟むためのものであり、また窪み部５は、大腿部が当たらないように逃がすものである。
【００２１】
前後左右の羽根部２，２の先端間の距離は、着座時のトレーニングする者の両手を垂直に延ばしたときに羽根部２，２の先端を掴める５００〜５５０ｍｍに形成される。
【００２２】
この座板部３への着座により、トレーニングする者の運動時における臀部を支持すると共に、図８に示したように骨盤後傾の姿勢を取りやすくなり、腹筋への刺激が入りやすくすることができる。
【００２３】
敷物７は、座板部３よりも大きさが小さな平面十字形状に形成され、座板部３の凹面部６に敷かれ、座板部３の凹面部６に対して滑りにくい材料、例えば軟質ゴムやクッション性がある発泡軟質材などで形成される。この敷物７により臀部全体が座板部３にしっかりと包み込まれ、臀部が滑らないように安定した状態で保持されるようになっている。この敷物７には、腹部トレーニング器１の使用時にトレーニングする者が、腹部トレーニング器１の前後左右位置を確認できるマークＭが付されている。
【００２４】
座板部３の底面に設けられる一対の弧状部材８，８は、ゴムなどの弾性材で、座板部３の底面の曲率と同じ弧状に形成され、座板部３の中心から１３０ｍｍの間隔で平行に座板部３の底面の前後方向に延びるように設けられる。図２、図３に示すように座板部３の底面には、弧状部材８を収容する取付溝１１が形成され、弧状部材８が、取付溝１１に収容され、その前後両端が固着具であるネジ９で座板部３の底面に固定されている。この場合、弧状部材８の取付強度を確保するためにネジ９にはワッシャ１０を取り付けることが好ましい。また弧状部材８は、図２に丸Ａで囲ったように、取付溝１１に取り付けたとき、その取付溝１１からその底面が突出する厚さに形成される。
【００２５】
トレーニングの際には、トレーニングする者が、一対の弧状部材８，８に沿った方向に着座することで、前後方向の振り子運動により腹筋の運動を行う第１の使用状態と、一対の弧状部材８，８に対して９０度直交した方向に着座して、骨盤に対して背骨を左右に曲げて、左右に傾斜させる第２の使用状態との何れかを選択して使用することが可能になっている。
【００２６】
この際、座板部３は、半径約３００ｍｍの球面状に形成され、弧状部材８もその曲率に形成されるため、骨盤後傾の姿勢のトレーニングで、前後（或いは左右）に、２０〜２６度の範囲、本実施の形態では前後に２４度程度傾けることができる。よってトレーニングは、その角度範囲内で、より傾斜を強くしたり、少なくしたり、自由に負荷を変えた腹筋運動が行える。
【００２７】
一方、座板部３の底面の中央部には、図５〜図７に示すように水平３６０度の全方向への揺動運動を可能とする曲率の凸面状部材１２が弧状部材８よりも下方に突出した状態で着脱可能に取り付けられている。この場合、凸面状部材１２は、弧状部材８をその両端部を除いて覆うカバー状に形成されている。凸面状部材１２は、運動の負荷を高めるためにあらゆる方向に転がり易い硬質部材例えばＡＢＳ樹脂などの硬質樹脂により形成されていることが好ましい。
【００２８】
凸面状部材１２は、半径約２００ｍｍの球面状に形成された球面状部１３と、この球面状部１３の周縁部から立ち上った直径２２０ｍｍの筒状部１４とを有しており、その筒状部１４には弧状部材８との干渉を避けるための切欠部１５が形成されている。また、座板部３から球面状部１３に直接加わるトレーニングする者の体重を支えるため、凸面状部材１２と座板部３の間には例えば軟質ゴムからなる緩衝材１６が介設されている。この凸面状部材１２により、座板部３は、垂直方向に対して、あらゆる方向に２７〜３５度の範囲、本実施の形態では最大３０度に傾斜させることができる。
【００２９】
凸面状部材１２の内部中央には円板状の緩衝材１６を収容すると共に緩衝材１６を支持するための平面円形の収容部１７が形成され、その収容部１７に、緩衝材１６を支持するためのリブ１７ａが設けられ、その収容部１７内のリブ１７ａ上に緩衝材１６が収容され、その緩衝材１６がネジ１８でリブ１７ａにねじ込まれて固定されている。緩衝材１６の取付強度を高めるために、ネジ１８にはワッシャ１９を取り付けることが好ましい。この場合、ネジ１８は、緩衝材１６の中央に上下に形成された大径孔２０ａと小径孔２０ｂを通って収容部１７の底面にねじ込まれている。ネジ１８の頭部およびワッシャ１９は、上部の大径孔２０ａに収容され、緩衝材１６の上面から突出していない。
【００３０】
両弧状部材８，８の間に位置した座板部３の底面の中央には凸面状部材１２を着脱可能に取り付けるための円柱状の凸部２１が形成されている。一方、凸面状部材１２の内部中央には収容部１７よりも上方において座板部３の底面の凸部２１が緩く嵌まる円形の嵌合穴２２が形成され、この嵌合穴２２に緩く嵌まった凸部２１の下面が緩衝材１６の上面に当接されている。
【００３１】
座板部３の凸部２１の周囲には嵌合穴２２の内周面に嵌まって凸面状部材１２の脱落を防止するゴム製の脱落防止リング２３が装着されている。なお、凸部２１は、弧状部材８の最下部よりも上方に位置しているため、弧状部材８の使用時に凸部２１が床面に接触することはない。また、凸面状部材１２の筒状部１４には凸部２１に嵌まった凸面状部材１２を容易に取り外すために指を引っ掛けるための切欠部２４が形成されている。
【００３２】
以上の構成からなる腹部トレーニング器１の作用を述べる。
【００３３】
先ず、凸面状部材１２を取り外した弧状部材８での腹部トレーニング器１による腹筋運動を行う場合、床に弧状部材８に対して摩擦があり、またある程度クッション性のあるマットを敷き、そのマットの上に腹部トレーニング器１を置いた後、トレーニングする者が座板部３の前後方向に向いて着座して、トレーニングを行う。
【００３４】
トレーニングする者は、骨盤傾斜状態の姿勢、すなわち上半身を後方に傾斜させると共に両脚を前方に延出させて大腿部が前方斜め上方に向くようにする。この状態で体を起こしたり倒したり、また弧状部材８による振り子（ロッキング）運動することで、腹筋の伸張性収縮と短縮性収縮の双方の運動が行える。
【００３５】
この際、座板部３が臀部全体を包み込むように形成されており、また前後の羽根部２，２はトレーニングする者の、臀部の前後を骨盤後傾状態で支持しており、さらに大腿部は凹部４に位置し、窪み部５で逃げているため、上半身を起こしたり、倒したりする筋力は腹筋のみである。したがって、腹筋運動は骨盤後傾で行えることで腹筋への刺激が入りやすくなる。またロッキング運動は、弧状部材８で、座板部３が前後方向に揺動できるため、座板部３が補助となって、初心者でも簡単に腹筋運動を行うことができ、継続的な運動がしやすく、腹部のシェイプアップ効果が期待できる。
【００３６】
この腹筋トレーニング運動において、座板部３は、半径が約３００ｍｍの球面状に形成され、羽根部２の両端の間隔が５００〜５５０ｍｍであり、座板部３は、弧状部材８により、鉛直方向に対して２４度前後（２０〜２６度）に傾けることができ、上半身または足を床面と平行にした場合、上半身は床面に対して水平な状態から４８度起こしたり、４８度傾斜した状態から、水平に倒したりすることができ、この範囲内で腹筋に自在に負荷をかけてトレーニングすることができる。
【００３７】
トレーニング中には、羽根部２に手を添えることで運動時にロッキングを増長させたり、制限したり、自己の体力に合わせて運動強度を調整することができる。更に、羽根部２の上面が大腿部を支えることが可能な凹面部６を有しているため、羽根部２に大腿部を載せることもでき、脚の重みを支えて負荷を調整することができる。
【００３８】
弧状部材８を使用することにより運動方向が所定の方向に限られ、不安定さを少なくしているため、初心者にも目的に合った腹筋運動をすることができる。また、座板部３が四方に羽根部２を有するように上方から見て十字状に形成されているため、弧状部材８に対して平行な方向または直交する方向に着座することができ、前後方向または左右方向を選択して揺動運動をすることができる。
【００３９】
しかも、隣り合う羽根部２，２間が凹部４で結ばれていると共に、その凹部４の上面に窪み部５が形成されているため、両脚を振り下ろしたときの大腿部を凹部４および窪み部５により逃がすことができる。また、弧状部材８は弾性材例えばゴムにより形成されているため、床面との接触部が使用者の体重で変形して制動力を発揮することとなり、運動の強度を強めることができる。
【００４０】
さらに、トレーニングする者は、弧状部材８，８と直角になるように着座して、骨盤や背骨を左右に屈曲させることで、左右の腹筋をトレーニングすることができる。
【００４１】
一方、座板部３の底面に凸面状部材１２を取り付けて、図８に示したようにトレーニングを行うこともできる。
【００４２】
このトレーニングを行うときの凸面状部材１２の取り付けは、座板部３の底面の凸部２１を凸面状部材１２の嵌合穴２２に脱落防止リング２３を介して嵌合することにより、凸面状部材１２を容易に取り付けることができる。
【００４３】
凸面状部材１２を用いたトレーニングの場合、凸面状部材１２は、平行な一対の弧状部材８，８と違って、３６０度あらゆる方向に揺動できるため、上半身と下半身のバランスをとりながら腹筋を鍛えることが可能となる。この場合、床に敷くマットは、凸面状部材１２と摩擦があり、クッション性のあるものを使用することで、任意の角度でバランスをとることができる。この凸面状部材１２により全方向（３６０度）の揺動運動が可能となると共にその角度も垂直状態から３０度前後左右（２７〜３５度の範囲）に傾けることができる。
【００４４】
また、凸面状部材１２を取り付けることでトレーニングする者の着座位置が高くなると共に球面状部１３がマット面と略点接触することになり、トレーニングする者の着座姿勢を不安定なものとし、トレーニングする者が着座姿勢を保つようにバランスをとることで等尺性筋収縮運動が可能となる。
【００４５】
この際、トレーニングする者は、臀部後方を凹部４に位置させ、大腿部はそれぞれ羽根部２，２に乗せて足がマットに着かない姿勢で座板部３に着座することで、より不安定な着座状態が生じ、着座姿勢を保つようにバランスをとることで等尺性筋収縮運動が可能となる。
【００４６】
図９は、本考案の腹部トレーニング器１を座椅子として使用する際の座位姿勢を示したもので、図９（ａ）は座位姿勢の背面図、図９（ｂ）は座位姿勢の側面図である。
【００４７】
トレーニングする者は、弧状部材８，８に対して４５度傾斜した状態で着座、すなわち、臀部後方を凹部４に位置させ、大腿部はそれぞれ羽根部２，２に乗せ、その羽根部２，２をマット３０に接した状態で着座する。この際、足は伸ばした状態でも、あぐらをかいた状態でもいずれでもよい。このような座位姿勢で腹部トレーニング器１に着座することで、羽根部２，２の先端と凸面状部材１２がマット３０に接触し、その羽根部２，２の先端から座板部３の中心にかけた着座面が、約２０度程度上向きに傾斜した状態となり、骨盤Ｐの底部が押し上げられ、骨盤Ｐが図示の矢印に示すように垂直・水平な状態にされ、いわゆる骨盤Ｐを立てた状態とすることができ、また背骨Ｂも緩やかなカーブを描いた状態の正しい姿勢で着座することが可能となる。さらに、骨盤Ｐが立った状態の姿勢を保った状態で、ストレッチを行うことで効果的にかつ楽に筋肉を伸ばすことができ、姿勢改善の効果も期待できる。
【符号の説明】
【００４８】
１  腹部トレーニング器
２  羽根部
３  座板部
４  凹部
５  窪み部
６  凹面部
７  敷物
８  弧状部材
９  ネジ
１０  ワッシャ
１１  取付溝
１２  凸面状部材
１３  球面状部
１４  筒状部
１５  切欠部
１６  緩衝材
１７  収容部
１８  ネジ
１９  ワッシャ
２０ａ  大径孔
２０ｂ  小径孔
２１  凸部
２２  嵌合穴
２３  脱落防止リング
【図１】
0003177291.tif 000003
【図２】
0003177291.tif 000004
【図３】
0003177291.tif 000005
【図４】
0003177291.tif 000006
【図５】
0003177291.tif 000007
【図６】
0003177291.tif 000008
【図７】
0003177291.tif 000009
【図８】
0003177291.tif 000010
【図９】
0003177291.tif 000011